Podtech/llm-jp-corpus-v4-ja_patent huggingface dataset:
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
ａｔｔＰ．ｂ（配列番号３）、ａｔｔＰ．ａ（配列番号４）、ａｔｔＬ．ａ（配列番号７）、ａｔｔＲ．ａ（配列番号１０）およびａｔｔＲ．ｂ（配列番号１１）からなる群より選択される核酸分子。
【請求項２】
前記核酸配列が、真核細胞におけるＤＮＡの配列特異的組換えを媒介し、そして配列特異的組換えが、バクテリオファージλインテグラーゼＩｎｔによって行なわれる、請求項１記載の核酸分子。
【請求項３】
請求項１または２記載の核酸分子を含むベクター。
【請求項４】
前記ベクターが、真核生物発現ベクターである、請求項３記載のベクター。
【請求項５】
前記ベクターが、プロモーターおよび／または目的の異種遺伝子および／または選択マーカーおよび／またはエンハンサーを含む、請求項３または４記載のベクター。
【請求項６】
ゲノムまたは人工染色体またはミニ染色体またはエピソームエレメントまたは請求項３〜５記載のベクター中に組み込まれた請求項１または２記載の核酸分子を含む細胞。
【請求項７】
細胞が、真核細胞、例えば酵母、植物、蠕虫、昆虫、トリ、魚、爬虫類、または哺乳動物細胞である、請求項６記載の細胞。
【請求項８】
前記細胞が、ＣＨＯ野生型、ＣＨＯ Ｋ１、ＣＨＯ ＤＧ４４、ＣＨＯ ＤＵＫＸ−Ｂ１１、ＣＨＯ Ｐｒｏ−５である、請求項６記載の細胞。
【請求項９】
真核細胞におけるＤＮＡの配列特異的組換え方法であって、以下の工程：
ａ）第１のａｔｔＢ（配列番号１）、ａｔｔＰ（配列番号２）、ａｔｔＰ．ｂ（配列番号３）、ａｔｔＰ．ａ（配列番号４）、ａｔｔＬ（配列番号１２）、ａｔｔＬ．ａ（配列番号７）、ａｔｔＲ（配列番号１３）、ａｔｔＲ．ａ（配列番号１０）、またはａｔｔＲ．ｂ（配列番号１１）配列を含むＤＮＡを細胞中に導入する工程、
ｂ）第２のａｔｔＰ．ｂ（配列番号３）、ａｔｔＰ．ａ（配列番号４）、ａｔｔＬ．ａ（配列番号７）、ａｔｔＲ．ａ（配列番号１０）、またはａｔｔＲ．ｂ（配列番号１１）配列を含むＤＮＡを細胞中に導入する工程、
またはその逆、および
ｃ）バクテリオファージλインテグラーゼＩｎｔによって配列特異的組換えを行う工程
を含む方法。
【請求項１０】
前記第１のＤＮＡ配列がａｔｔＢ（配列番号１）配列を含む場合、前記第２の配列がａｔｔＰ．ｂ（配列番号３）、ａｔｔＰ．ａ（配列番号４）、ａｔｔＬ．ａ（配列番号７）、ａｔｔＲ．ａ（配列番号１０）、またはａｔｔＲ．ｂ（配列番号１１）を含むか、またはその逆である、請求項９記載の方法。
【請求項１１】
前記第１のＤＮＡ配列がａｔｔＰ．ｂ（配列番号３）配列を含む場合、前記第２の配列がａｔｔＰ．ｂ（配列番号３）、ａｔｔＰ．ａ（配列番号４）、ａｔｔＬ．ａ（配列番号７）、ａｔｔＲ．ａ（配列番号１０）、またはａｔｔＲ．ｂ（配列番号１１）を含むか、またはその逆である、請求項９記載の方法。
【請求項１２】
前記第１のＤＮＡ配列がａｔｔＰ．ｂ（配列番号３）配列を含む場合、前記第２の配列が同様にａｔｔＰ．ｂ（配列番号３）配列を含む、請求項１１記載の方法。
【請求項１３】
前記真核細胞の人工染色体／ミニ染色体またはゲノム中に第１のａｔｔＢ（配列番号１）、ａｔｔＰ（配列番号２）、ａｔｔＰ．ｂ（配列番号３）、ａｔｔＰ．ａ（配列番号４）、ａｔｔＬ（配列番号１２）、ａｔｔＬ．ａ（配列番号７）、ａｔｔＲ（配列番号１３）、ａｔｔＲ．ａ（配列番号１０）、およびａｔｔＲ．ｂ（配列番号１１）からなる群より選択される第１のａｔｔ配列が組み込まれた真核細胞における使用のためのＤＮＡの配列特異的組換え方法であって、
ｂ）第２のａｔｔＰ．ｂ（配列番号３）、ａｔｔＰ．ａ（配列番号４）、ａｔｔＬ．ａ（配列番号７）、ａｔｔＲ．ａ（配列番号１０）、またはａｔｔＲ．ｂ（配列番号１１）配列を含むＤＮＡを細胞中に導入する工程、
および
ｃ）バクテリオファージλインテグラーゼＩｎｔによって配列特異的組換えを行う工程
を含む、方法。
【請求項１４】
第１のａｔｔ配列が、前記真核細胞のゲノムに天然に生じるか、または前もって導入される、請求項１３記載の方法。
【請求項１５】
真核細胞において１つ以上の所望のポリペプチド／産物をコードする少なくとも１つの目的の遺伝子を発現する方法であって、以下の工程：
ａ）ａｔｔＢ（配列番号１）、ａｔｔＰ（配列番号２）、ａｔｔＰ．ｂ（配列番号３）、ａｔｔＰ．ａ（配列番号４）、ａｔｔＬ（配列番号１２）、ａｔｔＬ＊（配列番号６）、ａｔｔＬ．ａ（配列番号７）、ａｔｔＲ（配列番号１３）、ａｔｔＲ．ａ（配列番号１０）、またはａｔｔＲ．ｂ（配列番号１１）配列を含む第１のＤＮＡを細胞中に導入する工程；
ｂ）ａｔｔＰ．ｂ（配列番号３）、ａｔｔＰ．ａ（配列番号４）、ａｔｔＬ．ａ（配列番号７）、ａｔｔＲ．ａ（配列番号１０）、またはａｔｔＲ．ｂ（配列番号１１）配列を含む第２のＤＮＡを導入する工程、
またはその逆、および
ｃ）少なくとも１つの目的の遺伝子を細胞中に導入する工程；
ｄ）前記細胞をバクテリオファージλインテグラーゼＩｎｔと接触させる工程；
ｅ）バクテリオファージλインテグラーゼＩｎｔによる配列特異的組換えを行う工程であって、ここで、第２のＤＮＡは第１のＤＮＡ中に組み込まれる工程；および
ｆ）前記細胞を目的の遺伝子が発現される条件下で培養する工程
を含む方法。
【請求項１６】
前記第２のＤＮＡが前記細胞中に導入される前に、第１のＤＮＡが宿主細胞ゲノム、宿主細胞の人工染色体／ミニ染色体またはエピソームエレメント中に組み込まれている、請求項１５記載の方法。
【請求項１７】
バクテリオファージλＩｎｔまたはその任意の機能的変異体によって媒介される配列特異的組換えを可能にする少なくとも１つの天然に生じる組換え配列を有する真核細胞において１つ以上の所望のポリペプチド／産物をコードする少なくとも１つの目的の遺伝子を発現する方法であって、以下の工程：
ａ）ａｔｔＰ．ｂ（配列番号３）、ａｔｔＰ．ａ（配列番号４）、ａｔｔＬ．ａ（配列番号７）、ａｔｔＲ．ａ（配列番号１０）またはａｔｔＲ．ｂ（配列番号１１）配列および少なくとも１つの目的の遺伝子を含むＤＮＡを前記細胞中に導入する工程；
ｂ）前記細胞をバクテリオファージλインテグラーゼＩｎｔと接触させる工程；
ｃ）前記細胞において天然に生じる組換え配列と前記細胞中に導入されたＤＮＡとの間で、バクテリオファージλインテグラーゼＩｎｔによる配列特異的組換えを行う工程；および
ｄ）前記細胞を目的の遺伝子が発現される条件下で培養する工程
を含む方法。
【請求項１８】
天然に生じる配列がａｔｔＨ（配列番号１４）である、請求項１７の方法。
【請求項１９】
前記所望のポリペプチド／産物が、宿主細胞または細胞培養培地から単離される、請求項１５〜１８のいずれか１項記載の方法。
【請求項２０】
前記配列特異的組換えが、Ｉｎｔ、およびＸＩＳ、ＦＩＳおよび／またはＩＨＦから選択される１つ以上の補因子によって行なわれる、請求項９〜１９のいずれか１項記載の方法。
【請求項２１】
配列特異的組換えが、改変Ｉｎｔによって行なわれる、請求項９〜２０のいずれか１項記載の方法。
【請求項２２】
配列特異的組換えが、Ｉｎｔ−ｈまたはＩｎｔ−ｈ／２１８によって行なわれる、請求項９〜２０のいずれか１項記載の方法。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
可変速度駆動装置の構成要素用の冷却部材において、
構成要素を受け入れるように形状づけられかつ位置決めされた面を有する基部と、
前記基部の前記面に位置決めされたタブと、
前記基部を通して伸びかつ前記タブと流体連通した第１の通路と、
前記基部を通して伸びかつ前記タブと流体連通した第２の通路であって、第１の通路の反対側に位置決めされた第２の通路と、
該基部を少なくとも１つの付加的な基部に連結する連結装置と、を更に備え、
前記第１の通路と第２の通路とタブとは、構成要素に対する冷却効果を提供するように流体を循環するために使用され、前記基部は、射出成形過程により製造される、冷却部材。
【請求項２】
請求項１に記載の冷却部材において、前記基部の表面に位置決めされてタブを取り囲む通路を備え、該通路はシールを受け入れて流体の漏出を防止する形態とされた、冷却部材。
【請求項３】
請求項１に記載の冷却部材において、第１の通路は入口通路であり、第２の通路は出口通路であり、流体は該入口通路を通って基部に入り、該出口通路を通って基部から出る、冷却部材。
【請求項４】
請求項３に記載の冷却部材において、前記タブはタブ入口と、タブ出口とを備え、入口通路内の流体の一部分は、前記タブ入口に入り且つ前記タブを横断して流れ、前記タブ出口を通じてタブを出て前記出口通路に排出される、冷却部材。
【請求項５】
請求項１に記載の冷却部材において、前記基部は単一の構成要素を装着するように形状づけられている、冷却部材。
【請求項６】
請求項１に記載の冷却部材において、前記基部は非金属材料製である、冷却部材。
【請求項７】
請求項１に記載の冷却部材において、前記基部へ構成要素を装着するために該基部の表面に孔を有する、冷却部材。
【請求項８】
請求項１に記載の冷却部材において、連結装置により基部へ連結された端板を備え、該端板は流体を第１の通路から第２の通路へ指向するように形状づけられかつ位置決めされた、冷却部材。
【請求項９】
請求項１に記載の冷却部材において、前記連結装置は突起と該突起を受け入れる対応する穴とを有し、該突起と穴は第１及び第２の通路付近にて前記基部の反対側に位置決めされている、冷却部材。
【請求項１０】
請求項９に記載の冷却部材において、前記突起はスナップ嵌め機構を有する、冷却部材。
【請求項１１】
請求項１に記載の冷却部材において、前記連結装置は第１及び第２の通路付近にて前記基部の反対側に位置決めされた一対の穴を有し、該対の穴の各穴は締結具を受け入れるように形状づけられている、冷却部材。
【請求項１２】
可変速度駆動装置において、
作動中、熱を発生させる少なくとも２つの構成要素と、
少なくとも２つの構成要素を冷却するため流体を循環するように形状づけられた冷却部材とを備え、
該冷却部材は、
各々が前記少なくとも２つの構成要素の対応する構成要素を受け入れるように形状づけられかつ位置決めされた面を有する少なくとも２つの相互接続された基部とを備え、      前記少なくとも２つの相互接続された基部の各基部の前記面に形成されたタブと、
前記少なくとも２つの相互接続された基部の各基部を通して伸び、かつ基部のタブと流体連通する第１の通路と、
前記少なくとも２つの相互接続された基部の各基部を通して伸び、かつ対応する基部のタブと流体連通する第２の通路であって、第１の通路の反対側に位置決めされた第２の通路と、
少なくとも２つの相互接続される基部を連結する少なくとも1つの連結装置と、を備え、
前記第１の通路と、第２の通路と、各基部のタブは流体を循環して対応する構成要素に対する冷却効果を提供するために使用され、前記少なくとも２つの相互接続された基部は、射出成形過程により製造される、可変速度駆動装置。
【請求項１３】
請求項１２に記載の可変速度駆動装置において、
前記冷却部材は、連結装置により相互接続された少なくとも２つの基部の各基部に連結された端板を有する、可変速度駆動装置。
【請求項１４】
請求項１２に記載の可変速度駆動装置において、前記各基部の表面に位置決めされて対応するタブを取り囲んでいる通路であって、シールを受け入れて流体の漏出を防止する形態とされた通路を備える、可変速度駆動装置。
【請求項１５】
請求項１２に記載の可変速度駆動装置において、第１の通路は入口通路であり、第２の通路は出口通路であり、流体は該入口通路を通って各基部に入り、該出口通路を通って各基部から出る、可変速度駆動装置。
【請求項１６】
請求項１５に記載の可変速度駆動装置において、前記タブはタブ入口と、タブ出口とを備え、入口通路内の流体の一部分は、前記タブ入口に入り前記タブを横断して流れ、前記タブ出口を通してタブを出て前記出口通路に排出される、可変速度駆動装置。
【請求項１７】
請求項１２に記載の可変速度駆動装置において、前記第１の通路の断面積は、所定の流体の流れ及び流体の圧力降下の必要量を満足させる寸法とされる、可変速度駆動装置。
【請求項１８】
請求項１２に記載の可変速度駆動装置において、前記各基部は非金属材料製である、可変速度駆動装置。
【請求項１９】
請求項１２に記載の可変速度駆動装置において、前記少なくとも１つの連結装置は、締結具を受け入れるため各基部の反対側に貫通穴を備え、該締結具は、前記少なくとも２つの基部の間の確実な接続部を提供する、可変速度駆動装置。
【請求項２０】
請求項１２に記載の可変速度駆動装置において、前記少なくとも１つの連結装置は、各基部の反対側に締結具タブと、隣りの基部の締結具タブを受け入れる形態とされた締結具受容部とを備え、締結具タブが締結具受容部内に固定されたとき、前記隣りの基部との確実な接続部が形成される、可変速度駆動装置。
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
コンテンツの中のセグメントに注釈を付けるために支払いをする機会を１又は複数の広告主に提供するステップと、
前記注釈を付けられたセグメントを含むように前記コンテンツを構成するステップであって、前記注釈を付けられたセグメントは、前記コンテンツの他のセグメントとの関係でサーチ可能であり、ユーザによって更なる注釈を付けることが可能であるように構成されており、前記更なる注釈によって、前記注釈が付けられたセグメントを説明する追加的な情報を前記ユーザが入力して前記コンテンツを更にセグメント化することが可能になり、前記更にセグメントされたコンテンツは、当初に構成されたコンテンツによってサポートされる収入モデルとは異なる収入モデルをサポートする、ステップと、
を含む方法。
【請求項２】
請求項１記載の方法において、前記コンテンツの前記他のセグメントは番組セグメントであり、前記注釈が付けられたセグメントは当該注釈が付けられたセグメントを広告セグメントとして識別するようにサーチ可能である、方法。
【請求項３】
請求項１記載の方法において、前記注釈が付けられたセグメントは、当該注釈が付けられたセグメントを含むコンテンツのストリームを受信するクライアント・デバイスによってサーチ可能であるように構成されている、方法。
【請求項４】
請求項１記載の方法において、前記注釈が付けられたセグメントは、クライアント・デバイスによってサーチ可能であり、自動化されたセグメント化が前記クライアント・デバイスにおいて実行されるように構成されている、方法。
【請求項５】
請求項１記載の方法において、前記コンテンツはテレビ・コンテンツである、方法。
【請求項６】
請求項１記載の方法であって、
料金を支払い、前記注釈の少なくとも一部に基づいて前記コンテンツのストリームを番組セグメントと広告セグメントとにセグメント化し、前記広告セグメントをストリーミングすることなく前記番組セグメントをクライアントにストリーミングするオプションを提供するステップと、
前記料金を支払うことなく、前記番組セグメントと前記広告セグメントとを前記クライアントにストリーミングする第２のオプションを提供するステップと、
を更に含むことを特徴とする方法。
【請求項７】
異なる広告主に対して異なる収入モデルを許容する入札をオークションにおいて提出しコンテンツの中のセグメントに注釈を付ける機会を１又は複数の広告主に提供するステップと、
前記注釈が付けられたセグメントを含むように前記コンテンツを構成し、前記注釈が付けられたセグメントが前記コンテンツの中の他のセグメントとの関係でサーチ可能であるようにするステップと、
をコンピュータに実行させる命令が記憶されているコンピュータ可読媒体。
【請求項８】
請求項７記載のコンピュータ可読媒体方法において、前記コンテンツの前記他のセグメントは番組セグメントであり、前記注釈が付けられたセグメントは当該注釈が付けられたセグメントを広告セグメントとして識別するようにサーチ可能である、コンピュータ可読媒体。
【請求項９】
請求項７記載のコンピュータ可読媒体において、前記注釈が付けられたセグメントは、当該注釈が付けられたセグメントを含むコンテンツのストリームを受信するクライアント・デバイスによってサーチ可能であるように構成されている、コンピュータ可読媒体。
【請求項１０】
請求項７記載のコンピュータ可読媒体において、前記注釈が付けられたセグメントは、クライアント・デバイスによってサーチ可能であり、自動化されたセグメント化が前記クライアント・デバイスにおいて実行されるように構成されている、コンピュータ可読媒体。
【請求項１１】
請求項７記載のコンピュータ可読媒体において、前記コンテンツはテレビ・コンテンツである、コンピュータ可読媒体。
【請求項１２】
請求項７記載のコンピュータ可読媒体であって、前記命令は、更に、
料金を支払い、前記注釈の少なくとも一部に基づいて前記コンテンツのストリームを番組セグメントと広告セグメントとにセグメント化し、前記広告セグメントをストリーミングすることなく前記番組セグメントをクライアントにストリーミングするオプションを提供するステップと、
前記料金を支払うことなく、前記番組セグメントと前記広告セグメントとを前記クライアントにストリーミングする第２のオプションを提供するステップと、
をコンピュータに実行させる、コンピュータ可読媒体。
【請求項１３】
少なくとも部分的にはハードウェアにおいて実装されている１又は複数のモジュールを含むクライアント・デバイスであって、
このクライアント・デバイスによって受信されるコンテンツに関してユーザから注釈を受け取るユーザ・インターフェースを提供する手段と、
このクライアント・デバイスによって受信される前記コンテンツをどこでセグメント化すべきかを記述する注釈を前記ユーザから前記ユーザ・インターフェースを介して受け取る手段と、
コンテンツを、前記ユーザから受け取られた前記注釈と１又は複数の広告主によって前記コンテンツにおいて提供された注釈とに少なくとも部分的に基づいて、番組セグメントと広告セグメントとにセグメント化する手段と、
を備えており、前記注釈は、ネットワーク・オペレータによって１又は複数の広告主に対して与えられる機会であって、前記コンテンツの中の１又は複数の前記セグメントに注釈を付ける入札を提出する機会に応答して、前記コンテンツにおいて提供される、クライアント・デバイス。
【請求項１４】
請求項１３記載のクライアント・デバイスにおいて、前記注釈が付けられたセグメントはサーチ可能であり、前記注釈が付けられたセグメントは広告セグメントとして識別される、クライアント・デバイス。
【請求項１５】
請求項１３記載のクライアント・デバイスにおいて、前記１又は複数のモジュールは、自動的にユーザの介入なしで前記セグメント化を実行するように構成されている、クライアント・デバイス。
【請求項１６】
請求項１３記載のクライアント・デバイスにおいて、前記コンテンツは前記注釈が付けられたセグメントを含む前記コンテンツのストリームとして受信される、クライアント・デバイス。
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
合計10〜30個のヌクレオチドの連続するヌクレオチド配列を含む長さ10〜30個のヌクレオチドのオリゴマーであって、前記連続するヌクレオチド配列が、哺乳動物アンドロゲン受容体遺伝子に対応する領域または配列番号1のmRNAの逆相補体もしくはその天然変異体と少なくとも80％相同であり、少なくとも1個のLNA単位を含む、前記オリゴマー。
【請求項２】
前記連続するヌクレオチド配列が、i)配列番号94もしくは配列番号58、ii)配列番号105もしくは配列番号77またはiii)配列番号2〜22および86〜106からなる群より選択される配列に対応する領域と少なくとも80％相同である、請求項１に記載のオリゴマー。
【請求項３】
前記連続するヌクレオチド配列が、請求項１に記載の対応する領域の逆相補体について不一致を含まないか、または1もしくは2個以下の不一致を含む、請求項１または２に記載のオリゴマー。
【請求項４】
前記オリゴマーのヌクレオチド配列が、前記連続するヌクレオチド配列からなる、請求項１〜３のいずれか１項に記載のオリゴマー。
【請求項５】
前記連続するヌクレオチド配列が、長さ10〜18個のヌクレオチドである、請求項１〜４のいずれか１項に記載のオリゴマー。
【請求項６】
前記連続するヌクレオチド配列が、ヌクレオチド類似体を含む、請求項１〜５のいずれか１項に記載のオリゴマー。
【請求項７】
前記ヌクレオチド類似体が、固定核酸(LNA)単位；2'-O-アルキル-RNA単位、2'-OMe-RNA単位、2'-アミノ-DNA単位、および2'-フルオロ-DNA単位からなる群より選択される糖修飾ヌクレオチドなどの糖修飾ヌクレオチドである、請求項６に記載のオリゴマー。
【請求項８】
前記ヌクレオチド類似体がLNAである、請求項６に記載のオリゴマー。
【請求項９】
ギャップマーである、請求項６〜８のいずれか１項に記載のオリゴマー。
【請求項１０】
アンドロゲン受容体遺伝子またはmRNAを発現する細胞中のアンドロゲン受容体遺伝子またはmRNAの発現を阻害する、請求項１〜９のいずれか１項に記載のオリゴマー。
【請求項１１】
前記オリゴマーが、
5'-AsMeCsMeCsasasgstststscststscsAsGsMeC-3'(配列番号58)および、
5'-MeCsMeCsMeCsasasgsgscsascstsgscsAsGsA-3'(配列番号77)
(式中、大文字はβ-D-オキシ-LNAモノマーを表し、小文字はDNAモノマーを表し、下付文字「s」はホスホロチオエート結合を表し、およびMeCは5-メチルシトシン塩基を含むβ-D-オキシ-LNAモノマーを表す)
から選択される連続するヌクレオチド配列からなるか、またはそれを含む、請求項１〜１０のいずれか１項に記載のオリゴマー。
【請求項１２】
請求項１〜１１のいずれか１項に記載のオリゴマーと、該オリゴマーに共有結合した少なくとも1個の非ヌクレオチドまたは非ポリヌクレオチド部分とを含むコンジュゲート。
【請求項１３】
請求項１〜１１のいずれか１項に記載のオリゴマー、または請求項１２に記載のコンジュゲートと、製薬上許容し得る希釈剤、担体、塩もしくはアジュバントとを含む医薬組成物。
【請求項１４】
本明細書に開示される疾患または医学的障害の治療のための医薬の製造のための、請求項１〜１１のいずれか１項に記載のオリゴマー、または請求項１２に定義されるコンジュゲートを含む組成物。
【請求項１５】
過増殖性障害の治療のための医薬組成物であって、該治療が、請求項１〜１１のいずれか１項に記載のオリゴマー、または請求項１２に記載のコンジュゲートの有効量を、過増殖性障害に罹患している患者、またはかかる過増殖性障害に罹患しやすい患者に投与することを含む、前記医薬組成物。
【請求項１６】
アンドロゲン受容体を発現している細胞中のアンドロゲン受容体を阻害する方法であって、請求項１〜１１のいずれか１項に記載のオリゴマー、または請求項１２に記載のコンジュゲートを、該細胞に投与して、該細胞中のアンドロゲン受容体を阻害することを含む、前記方法。
【請求項１７】
癌の治療のための医薬の製造のための、請求項１〜１１のいずれか１項に記載のオリゴマー、または請求項１２に定義されるコンジュゲートを含む組成物。
【請求項１８】
以下の式：
5'-AsMeCsMeCsasasgstststscststscsAsGsMeC-3'(配列番号58)または
5'-MeCsMeCsMeCsasasgsgscsascstsgscsAsGsA-3'(配列番号77)
(式中、大文字はβ-D-オキシ-LNAモノマーを表し、小文字はDNAモノマーを表し、下付文字「s」はホスホロチオエート結合を表し、およびMeCは5-メチルシトシン塩基を含むβ-D-オキシ-LNAモノマーを表す)
からなるオリゴマーを含み、1個以上の官能基が5'末端、3'末端、リボース糖の2'-OH、および塩基から独立に選択される1個以上の位置で該オリゴマーに共有結合している、活性化オリゴマー。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
プリアンブルパケットをビデオストリームに挿入して、前記プリアンブルパケットの後続処理の影響を低減する方法であって、
データパケットのストリームを受信するステップと、
複数のプリアンブルパケットを前記データパケットのストリームに挿入するステップとを含み、
前記挿入するステップは、畳み込みインタリーブを使用した、結果として得られるデータパケットのストリームに含まれるデータのインタリーブの前に実行され、
前記プリアンブルパケットの時間的な長さは、前記畳み込みインタリーブの最大遅延に対応して選択される、方法。
【請求項２】
前記畳み込みインタリーブは、ATSC  A/53処理経路の一部として実行される、
請求項１記載の方法。
【請求項３】
前記データパケットのストリームは、MPEGパケットを含む、
請求項１記載の方法。
【請求項４】
前記複数のプリアンブルパケットは、MPEGパケットを含む、
請求項１記載の方法。
【請求項５】
レートモードの符号化前の前記プリアンブルパケットの数は１２であり、前記プリアンブルパケットは、２データブロックの長さのプリアンブルを生成するため、12/52レートモードで符号化される、
請求項１記載の方法。
【請求項６】
前記複数のプリアンブルパケットに含まれるデータは、多項式に基づいて発生された擬似雑音を含む、
請求項１記載の方法。
【請求項７】
前記プリアンブルパケットは、前記パケットをレガシーレシーバに無視させるパケット識別子をもつヘッダを有する、
請求項１記載の方法。
【請求項８】
前記畳み込みインタリーブは、ATSC  A/52畳み込みバイトインタリーバである、
請求項１記載の方法。
【請求項９】
前記インタリーブにより、インタリーブされたデータの１０４のセグメントを通して分散されるプリアンブルデータが得られる、
請求項１記載の方法。
【請求項１０】
データパケットのストリームを受信する手段と、
複数のプリアンブルパケットを前記データパケットのストリームに挿入する手段とを有する装置であって、
前記複数のプリアンブルパケットを挿入する手段は、畳み込みインタリーブを使用して、結果として得られるデータパケットのストリームに含まれるデータをインタリーブする更なる手段による動作の前に前記データストリームに作用し、
前記プリアンブルパケットの数は、前記畳み込みインタリーブの最大遅延に対応して選択される、装置。
【請求項１１】
前記畳み込みインタリーブは、ATSC  A/53処理経路の一部として実行される、
請求項１０記載の装置。
【請求項１２】
前記データパケットのストリームは、MPEGパケットを含む、
請求項１０記載の装置。
【請求項１３】
前記複数のプリアンブルパケットは、MPEGパケットを含む、
請求項１０記載の装置。
【請求項１４】
レートモードの符号化前の前記プリアンブルパケットの数は１２であり、前記プリアンブルパケットは、２データブロックの長さのプリアンブルを生成するため、12/52レートモードで符号化される、
請求項１０記載の装置。
【請求項１５】
前記複数のプリアンブルパケットに含まれるデータは、多項式に基づいて発生された擬似雑音を含む、
請求項１０記載の装置。
【請求項１６】
前記プリアンブルパケットは、前記パケットをレガシーレシーバに無視させるパケット識別子をもつヘッダを有する、
請求項１０記載の装置。
【請求項１７】
前記パケットインタリーバは、ATSC  A/52畳み込みバイトインタリーバである、
請求項１０記載の装置。
【請求項１８】
前記パケットインタリーバは、インタリーブされたデータの１０４のセグメントを通してプリアンブルデータを分散させる、
請求項１０記載の装置。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
上側椎骨と下側椎骨との間での移植用の補綴システムであって、
上側接触面及び上側関節接合面を備える上側関節構成要素と、
下側接触面、及び前記上側関節接合面と移動可能に係合して関節運動型接合部を形成するように構成された下側関節接合面を備える下側関節構成要素であって、当該関節運動型接合部が前記上側椎骨と前記下側椎骨との間の円板空間内での移植に適合されて当該上側椎骨及び当該下側椎骨が互いに対して移動できるようにする、下側関節構成要素と、
前記上側関節構成要素または前記下側関節構成要素の一方及び前記円板空間から後方に延び、当該上側関節構成要素または当該下側関節構成要素の当該一方の反対側に遠位端を有するブリッジ構成要素であって、当該ブリッジ構成要素の当該遠位端が締結具を受け入れるように適合された接続構成要素を備えるブリッジ構成要素と
を備える、補綴システム。
【請求項２】
上側椎骨と下側椎骨との間での移植用の補綴システムであって、
前記上側椎骨に係合するように適合された上側面、及び上側関節接合面を備える上側前方関節構成要素と、
前記下側椎骨に係合するように適合された下側面、及び前記上側関節接合面に移動可能に係合して関節運動型接合部を形成し、前記上側椎骨及び当該下側椎骨を互いに対して移動可能にするように構成された下側関節接合面を備える下側前方関節構成要素であって、当該関節運動型接合部が当該上側椎骨と当該下側椎骨との間の円板空間内に配設される、下側前方関節構成要素と、
前記上側前方関節構成要素から後方に、かつ前記円板空間から後方に延びる上側ブリッジ構成要素と、
前記下側前方関節構成要素から後方に、かつ前記円板空間から後方に延びる下側ブリッジ構成要素と、
締結具を受け入れ、当該締結具をそれぞれの前記上側椎骨または前記下側椎骨の中に方向付けるように適合された、前記上側ブリッジまたは前記下側ブリッジの一方における接続構成要素と
を備える、補綴システム。
【請求項３】
上側椎骨と下側椎骨との間の椎間円板空間内に並んで配置するように適合された、相対する側にある１対の補綴装置を備える脊椎補綴システムであって、
前記相対する側にある１対の補綴装置のそれぞれが、
凹形の上側関節接合面、及び骨固定装置を受け入れるように適合された開口部を備える上側関節構成要素と、
内側面、当該内側面から突出し前記凹形の上側関節接合面に移動可能に係合して関節運動型接合部を形成するように構成された凸形の下側関節接合面、及び骨固定装置を受け入れるように適合された開口部を備える下側関節構成要素と
を含む、脊椎補綴システム。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
映像を符号化する方法であって、
第１の符号化パラメータに基づいて第１のバージョンの符号化映像を生成するステップと、
第２の再符号化パラメータに基づいて少なくとも１つの第２のバージョンの符号化映像を生成するステップと、
前記第１のバージョンの符号化映像および前記少なくとも１つの第２のバージョンの符号化映像に基づいて比較データを生成するステップと、
前記第１のバージョンの符号化映像と、前記少なくとも１つの第２のバージョンの符号化映像と、前記比較データとを表示するステップと、
を含む、前記方法。
【請求項２】
前記比較データが、前記第１のバージョンの符号化映像および前記少なくとも１つの第２のバージョンの符号化映像から生成される映像アーチファクトのリスト、映像ファイル・サイズ、符号化パラメータ、およびメタデータのうちの少なくとも１つである、請求項１に記載の方法。
【請求項３】
前記生成されるメタデータが、平均ビット・レート、映像フレーム構造、およびピーク信号対雑音比のうちの少なくとも１つである、請求項２に記載の方法。
【請求項４】
前記第１のバージョンの符号化映像および前記少なくとも１つの第２のバージョンの符号化映像が、シーンおよびフレームの少なくとも１つである、請求項１に記載の方法。
【請求項５】
前記比較データの視覚化に基づいて、前記符号化映像の最終バージョンとして、前記少なくとも１つの第２のバージョンのうちの比較的アーチファクトの少ない１つのバージョンを選択するステップをさらに含む、請求項１に記載の方法。
【請求項６】
前記第１のバージョンの符号化映像および前記少なくとも１つの第２のバージョンの符号化映像の分割視覚化に基づいて、前記符号化映像の最終バージョンとして、前記少なくとも１つの第２のバージョンのうちの比較的アーチファクトの少ない１つのバージョンを選択するステップをさらに含む、請求項１に記載の方法。
【請求項７】
前記少なくとも１つの第２のバージョンの符号化映像を生成するステップが、前記少なくとも１つの第２のバージョンのそれぞれに対してバージョン表示を割り当てることを含む、請求項１に記載の方法。
【請求項８】
前記バージョン表示の履歴を表示するステップをさらに含む、請求項７に記載の方法。
【請求項９】
前記少なくとも１つの第２のバージョンの符号化映像を生成するステップが、所定の映像アーチファクトに基づいて少なくとも２つの再符号化パラメータを適用することを含む、請求項１に記載の方法。
【請求項１０】
映像を符号化するシステムであって、
第１の符号化パラメータに基づく第１のバージョンの符号化映像、および第２の再符号化パラメータに基づく少なくとも１つの第２のバージョンの符号化映像を生成するエンコーダと、
前記第１のバージョンの符号化映像および前記少なくとも１つの第２のバージョンの符号化映像に基づいて比較データを生成する比較器と、
前記第１のバージョンの符号化映像と、前記少なくとも１つの第２のバージョンの符号化映像と、前記比較データとを表示するユーザ・インタフェースと、
を備える、前記システム。
【請求項１１】
前記比較データが、前記第１のバージョンの符号化映像および前記少なくとも１つの第２のバージョンの符号化映像から生成される映像アーチファクトのリスト、映像ファイル・サイズ、符号化パラメータ、およびメタデータのうちの少なくとも１つである、請求項１０に記載のシステム。
【請求項１２】
前記生成されるメタデータが、平均ビット・レート、映像フレーム構造、およびピーク信号対雑音比のうちの少なくとも１つである、請求項１１に記載のシステム。
【請求項１３】
前記第１のバージョンの符号化映像および前記少なくとも１つの第２のバージョンの符号化映像が、シーンおよびフレームの少なくとも１つである、請求項１０に記載のシステム。
【請求項１４】
前記比較器が、前記比較データの視覚化を生成するように構成され、前記ユーザ・インタフェースが、前記比較データの視覚化に基づいて、前記符号化映像の最終バージョンとして、前記少なくとも１つの第２のバージョンのうちの比較的アーチファクトの少ない１つのバージョンを選択するように構成される、請求項１０に記載のシステム。
【請求項１５】
前記第１のバージョンの符号化映像および前記少なくとも１つの第２のバージョンの符号化映像の分割視覚化を表示するビデオ・プレーヤをさらに備え、前記ユーザ・インタフェースが、符号化映像の前記第１のバージョンの符号化映像および前記少なくとも１つの第２のバージョンの符号化映像の分割視覚化に基づいて、前記符号化映像の最終バージョンとして、前記少なくとも１つの第２のバージョンのうちの比較的アーチファクトの少ない１つのバージョンを選択するように構成される、請求項１０に記載のシステム。
【請求項１６】
前記少なくとも１つの第２のバージョンのそれぞれに対してバージョン表示を割り当てる符号化バージョニング・モジュールをさらに備える、請求項１０に記載のシステム。
【請求項１７】
前記ユーザ・インタフェースが、前記バージョン表示の履歴を表示するように構成される、請求項１６に記載のシステム。
【請求項１８】
複数の所定の符号化フィックスをさらに備え、前記複数の所定の符号化フィックスのそれぞれが、少なくとも１つの再符号化パラメータを含み、前記エンコーダが、所定のアーチファクトに基づいて前記複数の所定の符号化フィックスのうちの少なくとも１つを適用するように構成される、請求項１０に記載のシステム。
【請求項１９】
マシンによって読取り可能なプログラム記憶装置であり、映像を符号化する方法のステップを実行するための、前記マシンによって実行可能な命令のプログラムを実装するプログラム記憶装置であって、前記方法が、
第１の符号化パラメータに基づいて第１のバージョンの符号化映像を生成するステップと、
第２の再符号化パラメータに基づいて少なくとも１つの第２のバージョンの符号化映像を生成するステップと、
前記第１のバージョンの符号化映像および前記少なくとも１つの第２のバージョンの符号化映像に基づいて比較データを生成するステップと、
前記第１のバージョンの符号化映像と、前記少なくとも１つの第２のバージョンの符号化映像と、前記比較データとを表示するステップと、
を含む、前記プログラム記憶装置。
【請求項２０】
前記比較データが、前記第１のバージョンの符号化映像および前記少なくとも１つの第２のバージョンの符号化映像から生成される映像アーチファクトのリスト、映像ファイル・サイズ、符号化パラメータ、およびメタデータのうちの少なくとも１つである、請求項１９に記載のプログラム記憶装置。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
オーディオビジュアル信号の意味的なまとまりに対応するセグメントの開始点を決定する方法であって、前記方法は、
低オーディオ出力についての基準を満たすセクションを検出するため前記信号のオーディオ成分を処理するステップと、
ショットに対応するセクションの境界を識別するため前記オーディオビジュアル信号を処理するステップと、
を含み、前記オーディオビジュアル信号のビデオ成分は、司会者が表示されている見込みが高い画像を有する特定のタイプのショットを識別するための基準に合致する少なくとも１つのショットにより形成されるビデオセクションであって、前記特定のタイプのショットのみを含むビデオセクションを識別するための基準を評価するために処理され、
前記低オーディオ出力についての基準を満たすセクションの少なくとも終了点が、識別されたビデオセクションの境界間の特定の間隔にある場合に、前記低オーディオ出力についての基準を満たすセクションに一致し且つ前記識別されたビデオセクションの境界間に位置する点が、セグメントの開始点として選択され、
識別されたビデオセクションに一致する低オーディオ出力についての基準を満たすセクションがないことが決定されると、前記ビデオセクションの境界が、セグメントの開始点として選択される方法。
【請求項２】
前記オーディオビジュアル信号のビデオ成分の処理は、前記特定のタイプのショットを識別するための基準の評価を含み、前記評価は、ショットの少なくとも１つの画像が少なくとも１つの更なる画像に対する類似度を満たすか否かの決定を含む、請求項１に記載の方法。
【請求項３】
前記特定のタイプのショットを識別するための基準の評価は、ショットの少なくとも１つの画像が、前記ショットに含まれる少なくとも１つの更なる画像に対する類似度を満たすか否かの決定を含む、請求項２に記載の方法。
【請求項４】
前記特定のタイプのショットを識別するための基準の評価は、ショットの少なくとも１つの画像が、少なくとも１つの更なるショットの少なくとも１つの更なる画像に対する類似度を満たすか否かの決定を含む、請求項２又は３に記載の方法。
【請求項５】
前記オーディオビジュアル信号に亘って類似する画像を含むショットの分布の一様性を解析するステップを含む、請求項４に記載の方法。
【請求項６】
前記オーディオビジュアル信号のビデオ成分の処理は、前記特定のタイプのショットを識別するための基準の評価を含み、前記評価は、前記ショットに含まれる少なくとも１つの画像の内容を解析し、前記ショットに含まれる少なくとも１つの画像に表示されるいずれかの人物の顔を検出することを含む、請求項１乃至５のいずれか一項に記載の方法。
【請求項７】
前記ビデオセクションを識別するための基準を評価するための前記オーディオビジュアル信号のビデオ成分の処理は、
ａ）ショットが、司会者が表示されている見込みが高い画像を有する前記特定のタイプのショットを識別するための基準に合致するとそれぞれが決定された、連続するショットのシーケンスのうちの最初のものか否かを決定するステップであって、前記シーケンスは特定の最短の長さよりも長い長さを持つステップと、
ｂ）ショットが、司会者が表示されている見込みが高い画像を有する前記特定のタイプのショットを識別するための基準に合致し、更に特定の最短の長さよりも長い長さを持つという基準に合致するか否かを決定するステップと、
のうち少なくとも一方を含む、請求項１乃至６のいずれか一項に記載の方法。
【請求項８】
前記低オーディオ出力についての基準を満たす複数のセクションのそれぞれの少なくとも終了点が、識別されたビデオセクションの境界間の特定の間隔にあることを決定すると、前記複数のセクションのうち最初に出現するセクションに一致する点を、セグメントの開始点として選択するステップを含む、請求項１乃至７のいずれか一項に記載の方法。
【請求項９】
前記低オーディオ出力についての基準を満たす複数のセクションのうち第２のものであり且つ前記最初のセクションに後続するセクションに一致する点を、少なくとも前記最初のセクションと前記第２のセクションとの間の間隔の長さが特定の閾値を超えると決定したときに、更なるセグメントの開始点として選択するステップを更に含む、請求項８に記載の方法。
【請求項１０】
前記識別されたビデオセクションのそれぞれについて、前記低オーディオ出力についての基準を満たすセクションの少なくとも終了点が、前記識別されたビデオセクションの境界間の特定の間隔にあるか否かを連続的に決定するステップを含む、請求項１乃至１０のいずれか一項に記載の方法。
【請求項１１】
前記低オーディオ出力についての基準を満たすセクションは、第１のウィンドウよりも長い第２のウィンドウに亘る平均オーディオ出力に対する、第１のウィンドウに亘る平均オーディオ出力を評価することにより検出される、請求項１乃至１０のいずれか一項に記載の方法。
【請求項１２】
オーディオビジュアル信号を意味的なまとまりに対応するセグメントにセグメント化するためのシステムであって、前記システムは、
低オーディオ出力についての基準を満たすセクションを検出するため前記信号のオーディオ成分を処理し、
ショットに対応するセクションの境界を識別するため前記オーディオビジュアル信号を処理する
ように構成され、前記オーディオビジュアル信号のビデオ成分は、司会者が表示されている見込みが高い画像を有する特定のタイプのショットを識別するための基準に合致する少なくとも１つのショットにより形成されるビデオセクションであって、前記特定のタイプのショットのみを含むビデオセクションを識別するための基準を評価するために処理され、前記システムは更に、
前記低オーディオ出力についての基準を満たすセクションの少なくとも終了点が、識別されたビデオセクションの境界間の特定の間隔にあることが決定されると、前記低オーディオ出力についての基準を満たすセクションに一致し且つ前記ビデオセクションの境界間に位置する点を、セグメントの開始点として選択するように構成され、前記システムは、
識別されたビデオセクションに一致する低オーディオ出力についての基準を満たすセクションがないことが決定されると、前記ビデオセクションの境界を、セグメントの開始点として選択するように構成される、システム。
【請求項１３】
請求項１乃至１１のいずれか一項に記載の方法を実行するように構成された、請求項１２に記載のシステム。
【請求項１４】
機械読み取り可能な媒体に組み込まれたときに、請求項１乃至１１のいずれか一項に記載の方法を、情報処理能力を持つシステムに実行させることが可能な命令のセットを含む、コンピュータプログラム。
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
組み換えアデノウイルスを生成するための方法であって、野生型ＦＨＩＴ  ｃＤＮＡを保有する組み換えアデノウイルス（ＡｄＦＨＩＴ）を調製するステップと、以下のオリゴヌクレオチド：５’−ＡＣｇＴｇｇＡＴＣＣＣＴｇＴｇＡｇｇＡＣＡＴｇＴＣｇＴＴＣＡｇＡＴＴＴｇｇＣ−３’（順方向）［配列番号２６］、および５’−ＴＴｇＴｇｇＡＴＣＣＴＴＡＴＣＡｇＴｇＡＴｇｇＴｇＡＴｇｇＴｇＡＴｇＣｇＡＴＣＣＴＣＴＣＴｇＡＡＡｇＴＡｇＡＣＣＣｇＣＡｇ−３’［配列番号２７］を用いるＰＣＲを使用して、Ｈｉｓ−タグ付加ＦＨＩＴ  ｃＤＮＡを生成するステップと、を含む、前記方法。
【請求項２】
ヒスチジン−６エピトープタグをコードする配列でその３’を修飾した、脆弱性ヒスチジン三連構造（Ｆｈｉｔ）ＦＨＩＴ  ｃＤＮＡを保有する、組み換えアデノウイルス（ＡｄＦＨＩＴ−Ｈｉｓ６）。
【請求項３】
ＦＨＩＴ−Ｈｉｓ６  ｃＤＮＡを保有するアデノウイルスを含む、Ｆｈｉｔ−Ｈｉｓ６を単離することができるアデノウイルス。
【請求項４】
外来的に過剰発現したＦｈｉｔ−Ｈｉｓ６を単離する方法であって、ＦＨＩＴ−Ｈｉｓ６  ｃＤＮＡを保有するアデノウイルスを使用するステップを含み、前記Ｆｈｉｔ−Ｈｉｓ６は、Ｈｉｓタグを通じて単離される、前記方法。
【請求項５】
少なくとも１つの細胞におけるアポトーシスプロセスを媒介するための方法であって、前記細胞における前記アポトーシスプロセスを媒介するのに十分な量の脆弱性ヒスチジン三連構造（Ｆｈｉｔ）遺伝子産物に、前記細胞を曝露するステップを含む、前記方法。
【請求項６】
細胞におけるアポトーシスプロセスを誘導するための方法であって、前記細胞における活性酸素種（ＲＯＳ）の生成を生じるのに十分な量の脆弱性ヒスチジン三連構造（Ｆｈｉｔ）遺伝子産物に、前記細胞を曝露するステップを含む、前記方法。
【請求項７】
少なくとも１つの細胞におけるアポトーシスプロセスを媒介するための方法であって、脆弱性ヒスチジン三連構造（Ｆｈｉｔ）が、前記細胞内のミトコンドリアに入り、前記細胞内のＦｄｘｒタンパク質と相互作用し、そしてＲＯＳの生成に関連するＦｄｘｒタンパク質レベルを増加させるのを可能にするのに十分な量の脆弱性ヒスチジン三連構造（Ｆｈｉｔ）遺伝子産物に、前記細胞を曝露するステップと、前記細胞における前記アポトーシスプロセスに変化を生じさせるステップと、を含む、前記方法。
【請求項８】
野生型ＦＤＸＲ（フェレドキシン還元酵素）ｃＤＮＡを調製するための方法であって、プライマー配列：５’−ＣＴｇＴＴＣＣＣＡｇＣＣＡＴｇｇＣＴＴＣｇＣｇＣＴｇ−３’（順方向）［配列番号２８］、および５’−ＴＣＡｇＴｇｇＣＣＣＡｇｇＡｇｇＣｇＣＡｇＣＡＴＣ−３’［配列番号２９］でＰＣＲ増幅するステップと、増幅産物ｐｃＤＮＡ３．１／Ｖ５−ＨｉｓＴＯＰＯ  ＴＡベクターをサブクローン化するステップと、を含む、前記方法。
【請求項９】
Ｖ５タグ付加ＦＤＸＲ（フェレドキシン還元酵素）ｃＤＮＡを調製するための方法であって、プライマー配列：順方向：５’−ＣＴｇＴＴＣＣＣＡｇＣＣＡＴｇｇＣＴＴＣｇＣｇＣＴｇ−３’［配列番号３０］、逆方向：５’−ｇＴｇｇＣＣＣＡｇｇＡｇｇＣｇＣＡｇＣＡＴＣ−３’［配列番号３１］でＰＣＲ増幅するステップと、増幅産物ｐｃＤＮＡ３．１／Ｖ５−ＨｉｓＴＯＰＯ  ＴＡベクターをサブクローン化するステップと、を含む、前記方法。
【請求項１０】
Ｆｈｉｔ発現と疾病または疾患との間の相関を同定するための方法であって、正常試料と比較して、前記疾病または疾患の典型的な試料内で異なって発現するＦｈｉｔを同定するステップを含む、前記方法。
【請求項１１】
同定するステップは、ａ）前記試料中のＦｈｉｔを標識するステップと、ｂ）前記標識されたＦｈｉｔをＦｈｉｔアレイにハイブリダイズするステップと、を含む、請求項１０に記載の方法。
【請求項１２】
前記試料中の前記Ｆｈｉｔは、標識前または標識後に単離される、請求項１１に記載の方法。
【請求項１３】
前記試料は、生体試料である、請求項１０〜１２のいずれか１項に記載の方法。
【請求項１４】
前記生体試料は、患者からのものである、請求項１３に記載の方法。
【請求項１５】
前記Ｆｈｉｔのプロファイルは、ａ）前記試料中のＦｈｉｔを標識するステップと、ｂ）前記ＦｈｉｔをＦｈｉｔアレイにハイブリダイズするステップと、ｃ）前記アレイへのＦｈｉｔのハイブリダイゼーションを判定するステップと、を含むプロセスによって生成され、Ｆｈｉｔプロファイルが生成される、請求項１０に記載の方法。
【請求項１６】
前記Ｆｈｉｔアレイは、加工されたＦｈｉｔ配列全体を含むＦｈｉｔコード配列を有する、Ｆｈｉｔプローブを含む、請求項１５に記載の方法。
【請求項１７】
前記Ｆｈｉｔコード配列は、加工されたＦｈｉｔ配列の上流および／または下流の、少なくとも２〜５ヌクレオチドのコード配列も含む、請求項１６に記載の方法。
【請求項１８】
前記Ｆｈｉｔコード配列は、前記加工されたＦｈｉｔ配列の上流および下流の４ヌクレオチドのコード配列を含む、請求項１７に記載の方法。
【請求項１９】
前記ＦｈｉｔＮＡアレイは、ｃ）前記Ｆｈｉｔコード配列に隣接する少なくとも第１のリンカー配列をさらに含む、Ｆｈｉｔプローブを含む、請求項１５〜１８のいずれか１項に記載の方法。